(57)【要約】【課題】本発明は、既存のハーネス型安全帯と一体化し得る新規な反射チョッキ、及び安全帯‐反射チョッキ組み合わせ構造を提供することを目的とする。【解決手段】  反射チョッキ１を、高所作業用のハーネス型安全帯５を装備した上から着用した際に、前記反射チョッキ１と前記ハーネス型安全帯５とが一体化し得るように、前記ハーネス型安全帯５を固定するための紐状又は帯状の繋縛紐帯４を、チョッキ本体２の内面に設ける。【選択図】図１
2019180511.tif 000002
【特許請求の範囲】
【請求項１】
チョッキ本体と、前記チョッキ本体の表面に取り付けられた反射材と、を具備してなる反射チョッキであって、
高所作業用のハーネス型安全帯を装備した上から着用した際に、前記ハーネス型安全帯と一体化し得るように、
前記ハーネス型安全帯を固定するための紐状又は帯状の繋縛紐帯が、前記チョッキ本体の内面に設けられてなることを特徴とする反射チョッキ。
【請求項２】
請求項１に記載の反射チョッキにおいて、
前記繋縛紐帯が、前記チョッキ本体の両肩部の内面二箇所に設けられてなる反射チョッキ。
【請求項３】
請求項１又は２に記載の作業服において、
前記繋縛紐帯に、面ファスナーが備えられてなる反射チョッキ。
【請求項４】
請求項１ないし３のいずれか１項に記載の作業服において、
前記チョッキ本体に、前記ハーネス型安全帯のＤ環に接続されたランヤードの先端に存するフックを掛止するためのリング体が設けられてなる反射チョッキ。
【請求項５】
請求項１ないし４のいずれか１項に記載の反射チョッキと、
ハーネス型安全帯と、
を具備してなり、
前記反射チョッキの繋縛紐帯にて前記ハーネス型安全帯が固定され、前記反射チョッキと前記ハーネス型安全帯が一体化されてなることを特徴とする安全帯‐反射チョッキ組み合わせ構造。
【発明の詳細な説明】
【技術分野】
【０００１】
本発明は、反射材を備えた反射チョッキ、及び安全帯‐反射チョッキ組み合わせ構造に関する。
【背景技術】
【０００２】
反射ベスト或いは安全ベストなどとも称される反射チョッキは、反射材が取り付けられた作業衣であり、夜間作業や暗所作業において他者による認識を容易にし、もって、接触事故などを防ぐ目的で着用されている。
【０００３】
一方、２ｍ以上の高所作業時においては、墜落を防止するため足場等の作業床の設置が必要となり、前記作業床の設置が困難な場合にあっては、安全帯を使用する旨が労働安全衛生規則で義務付けられている。特に、建設現場の高さ５メートル程度以上の場所で作業員が着用する安全帯については、複数のベルトを肩部、腿部等に装着して使用する「ハーネス型安全帯」の着用が義務付けられている。
【０００４】
従って、作業現場によっては、前記ハーネス型安全帯を装備した上から前記反射ベストを着用する必要が生じる。しかしながら、前記ハーネス型安全帯と前記反射ベストの併用は、作業開始時や休憩時における脱ぎ着が面倒になる。
【０００５】
この点につき、下記特許文献１では、反射ベストに安全帯の機能を盛り込んだ安全ベストが開示されている。
【先行技術文献】
【特許文献】
【０００６】
【特許文献１】特開２００８‐６９４７７号公報
【発明の概要】
【発明が解決しようとする課題】
【０００７】
しかしながら、前記特許文献１に開示された安全ベストは、人体を吊り下げるに足る強度を付与するために構造が複雑となり、又、素材も限定される。
【０００８】
本発明は、前記技術的課題に鑑みて完成されたものであり、既存のハーネス型安全帯と一体化し得る新規な反射チョッキ、及び安全帯‐反射チョッキ組み合わせ構造を提供することを目的とする。
【課題を解決するための手段】
【０００９】
前記技術的課題を解決する本発明の反射チョッキは、チョッキ本体と、前記チョッキ本体の表面に取り付けられた反射材と、を具備してなる反射チョッキであって、高所作業用のハーネス型安全帯を装備した上から着用した際に、前記ハーネス型安全帯と一体化し得るように、前記ハーネス型安全帯を固定するための紐状又は帯状の繋縛紐帯が、前記チョッキ本体の内面に設けられてなることを特徴とする（以下、「本発明反射チョッキ」と称する。）。
【００１０】
前記本発明反射チョッキにおいては、前記繋縛紐帯が、前記チョッキ本体の両肩部の内面二箇所に設けられてなるものが好ましい態様となる。
【００１１】
前記本発明反射チョッキにおいては、前記繋縛紐帯に、面ファスナーが備えられてなるものが好ましい多様となる。
【００１２】
前記本発明反射チョッキにおいては、前記チョッキ本体に、前記ハーネス型安全帯のＤ環に接続されたランヤードの先端に存するフックを掛止するためのリング体が設けられてなるものが好ましい態様となる。
【００１３】
前記技術的課題を解決するための本発明の安全帯‐反射チョッキ組み合わせ構造は、前記本発明反射チョッキと、ハーネス型安全帯と、を具備してなり、前記本発明反射チョッキの繋縛紐帯にて前記ハーネス型安全帯が固定され、前記本発明反射チョッキと前記ハーネス型安全帯が一体化されてなることを特徴とする（以下、「本発明構造」と称する。）。
【発明の効果】
【００１４】
本発明反射チョッキは、ハーネス型安全帯と一体化し得るものであり、前記ハーネス型安全帯と一体化することによって脱ぎ着が容易な本発明構造をなすものである。
【図面の簡単な説明】
【００１５】
【図１】図１は、実施形態１に係る本発明反射チョッキを示す正面図（ａ）と、背面図（ｂ）である。
【図２】図２（ａ）、（ｂ）は、前記本発明反射チョッキの表面と、内面とを示す展開図である。
【図３】図３は、実施形態１に係る本発明構造の内面を示す展開図である。
【図４】図４は、前記本発明構造を示す背面図である。
【図５】図５は、実施形態２に係る本発明反射チョッキを示す正面図（ａ）と、その内面を示す展開図（ｂ）である。
【図６】図６は、実施形態２に係る本発明構造の内面を示す展開図である。
【図７】図７は、前記本発明構造を示す正面図である。
【発明を実施するための形態】
【００１６】
以下、本発明の実施形態を、図面を参照しながら説明するが、本発明はこれらの実施形態に限定されるものではない。
【００１７】
［実施形態１］
＜本発明反射チョッキ１＞
図１に、実施形態１に係る本発明反射チョッキ１を示す。前記本発明反射チョッキ１は、チョッキ本体２と、反射材３と、繋縛紐帯４と、を具備する。
【００１８】
‐チョッキ本体２‐
前記チョッキ本体２は、腰丈程度の袖なし胴衣である。本実施形態における前記チョッキ本体２は、メッシュ生地からなる。図２に示すように、前記チョッキ本体２は、中央に逆三角形の穴２０が設けられた後身頃２Ｂと、前記後身頃２Ｂの両肩部に連設された一対のＬ字状の前身頃２Ｆと、前記後身頃２Ｂの下端両側に連設された一対の腰部２Ｗと、を具備する。前記前記チョッキ本体２は、前記腰部２Ｗの表面に設けられた第一面ファスナー２１Ｍと、前記前身頃２Ｆの各角部の裏面に設けられた第二面ファスナー２２Ｍとの貼着によって胴衣となる。この際、前記前身頃２Ｆの各先端部に備えられた一対の第三面ファスナー２３Ｍの合わせ位置によって、胴回りのサイズが調整できるようになされている。
【００１９】
‐反射材３‐
前記反射材３は、前記チョッキ本体２の表面に取り付けられる。前記反射材３は、照射された光を光源に向かって反射する素材からなる帯状体であり、前記チョッキ本体２の前記後身頃２Ｂ、前記前身頃２Ｆ、及び前記腰部２Ｗの適宜箇所に縫い付けられている。
【００２０】
‐繋縛紐帯４‐
前記繋縛紐帯４は、前記チョッキ本体２の内面に設けられる。本実施形態においては、２０ｃｍ程度の長さとなされた紐状体の中央部分を前記チョッキ本体２の両肩部に縫い付けることによって、前記繋縛紐帯４を設けた。
【００２１】
＜本発明構造１０＞
図３に、実施形態１に係る本発明構造１０を示す。前記本発明構造１０は、前記本発明反射チョッキ１と、ハーネス型安全帯５と、を具備する。
【００２２】
‐ハーネス型安全帯５‐
前記ハーネス型安全帯５は既存のものであり、使用者の肩を支持する一対の肩ベルト５１と、腿（脚）を支持する一対の腿ベルト５２と、胸を支持する胸ベルト５３と、を具備する。又、図４に示すように、前記ハーネス型安全帯５には、ランヤード６を接続するためのＤ環５０が備えられている。
【００２３】
前記本発明構造１０は、前記本発明反射チョッキ１の繋縛紐帯４にて前記ハーネス型安全帯５が固定されることによって、前記反射チョッキ１と前記ハーネス型安全帯５とが一体化される。本実施形態においては、前記チョッキ本体２の両肩部に設けられた一対の繋縛紐帯４にて、前記ハーネス型安全帯５の両肩ベルト５１を締結することによって、前記本発明構造１０を構築した。
【００２４】
そして、前記構成を有する本発明構造１０は、前記反射チョッキ１と前記ハーネス型安全帯５とが一体化されているから、作業開始時や休憩時における脱ぎ着が容易となる。
【００２５】
ところで、本実施形態においては、一対の紐状体を前記チョッキ本体２の両肩部に設けることによって繋縛紐帯４としたが、本発明において、前記繋縛紐帯４は、前記反射チョッキ１と前記ハーネス型安全帯５とを一体化し得るものであれば、その形状や設ける位置、及び数について特に限定されるものではない。
【００２６】
［実施形態２］
＜本発明反射チョッキ１＞
図５に、実施形態２に係る本発明反射チョッキ１を示す。前記本発明反射チョッキ１は、チョッキ本体２と、反射材３と、繋縛紐帯４と、リング体７と、を具備する。
【００２７】
‐チョッキ本体２、反射材３‐
本実施形態におけるチョッキ本体２及び反射材３は、いずれも前記実施形態１において用いたものと同様のものである。
【００２８】
‐繋縛紐帯４‐
本実施形態における繋縛紐帯４は、幅４ｃｍ、長さ１８ｃｍ程度の帯状体であり、中央部分が前記チョッキ本体２の内面の両肩部それぞれに縫い付けられている。又、前記繋縛紐帯４の両端には、互いに貼着し得る一対の面ファスナー（４１、４２）が設けられている。
【００２９】
‐リング体７‐
本実施形態においては、前記リング体７は、リング状となされたプラスチック製品であり、前記チョッキ本体２の各前身頃２Ｆの中央部に取り付けられている。
【００３０】
＜本発明構造１０＞
図６に、実施形態１に係る本発明構造１０を示す。前記実施形態１と同様、前記本発明構造１０は、前記本発明反射チョッキ１の繋縛紐帯４にて前記ハーネス型安全帯５が固定されることによって、前記反射チョッキ１と前記ハーネス型安全帯５とが一体化される。本実施形態においては、前記チョッキ本体２の両肩部に設けられた一対の繋縛紐帯４を、前記ハーネス型安全帯５の両肩ベルト５１に掛け回したうえで、前記面ファスナー（４１、４２）を貼着することによって、前記本発明構造１０を構築した。
【００３１】
前記構成を有する本発明構造１０は、前記反射チョッキ１と前記ハーネス型安全帯５とが一体化されているから、作業開始時や休憩時における脱ぎ着が容易となる。
【００３２】
又、本実施形態に係る前記反射チョッキ１には、前記リング体７が設けられており、図７に示すように、前記リング体７に、前記ハーネス型安全帯５のＤ環５０に接続されたランヤード６の先端に存するフック６０を掛止することができる。これより、本実施形態に係る本発明構造１０は、前記ランヤード６の収納性が良くなり、より一層、取り扱い性が向上する。
【００３３】
ところで、本実施形態においては、前記リング体７を前記チョッキ本体２の前身頃２Ｆに取り付けているが、本発明において、前記リング体７は、前記ランヤード６の先端に存するフック６０を掛止し得るものであれば、その形状や設ける位置、及び数について特に限定されるものではない。
【００３４】
その余は、前記実施形態１と同様であり、繰り返しを避けるべくここでは説明を省略する。
【００３５】
なお、本発明は、その精神又は主要な特徴から逸脱することなく、他のいろいろな形態で実施することができる。そのため、上述の実施形態はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００３６】
本発明は、ハーネス型安全帯着用時に使用する作業衣として好適に利用される。
【符号の説明】
【００３７】
１  本発明反射チョッキ（反射チョッキ）
２  チョッキ本体
３  反射材
４  繋縛紐帯
５  ハーネス型安全帯
６  ランヤード
７  リング体
１０  本発明構造（安全帯‐反射チョッキ組み合わせ構造）
【図１】
2019180511.tif 000003
【図２】
2019180511.tif 000004
【図３】
2019180511.tif 000005
【図４】
2019180511.tif 000006
【図５】
2019180511.tif 000007
【図６】
2019180511.tif 000008
【図７】
2019180511.tif 000009